(57)【要約】      （修正有）【課題】壁や天井に支承させることなく、家具の転倒を防止する家具の転倒防止装置を提供する。【解決手段】家具の転倒防止装置２０は、床面に対して傾斜したテーパを備え、地震動の発生により家具が床面から離れた場合に床面による影響を受けずに家具の前方に突出する延長脚２２と、延長脚２２を収容し、家具の両側面の床面に隣接する位置に固定され、延長脚２２が外に飛び出さないように位置制御するストッパを備えるシャーシ２１と、を備えていて、地震動により延長脚が自動的に突出し、家具の転倒に至るまでに重心が移動しなければならない距離を増加させることで、家具の転倒を防止している。【選択図】図２
0003159577.tif 000002
【実用新案登録請求の範囲】
【請求項１】
家具の転倒防止装置であって、前記転倒防止装置は、
床面に対して傾斜したテーパを備え、地震動の発生により前記家具が床面から離れた場合に前記テーパにより前記床面による影響を受けずに家具の前方に突出する延長脚と、
前記延長脚を収容し、前記家具の両側面の前記床面に隣接する位置に固定され、かつ前記延長脚が外に飛び出さないように位置制御するストッパを備えるシャーシと、を備え、
前記延長脚は、前記家具の底面が前記床面に接している場合に前記シャーシに弾性的に取り付けられた係止部材が前記床面により前記延長脚に形成された湾曲部に圧入されて前記床面とともに前記延長脚を係止し、前記家具の底面が前記床面から離間した場合に、前記湾曲部から飛び出して前記延長脚を前記家具の前方に突出させる、転倒防止装置。
【請求項２】
前記シャーシは、前記延長脚の前記湾曲部と係合する形状とされる、請求項１に記載の転倒防止装置。
【請求項３】
前記シャーシは、前記延長脚の上側面に隣接し、前記延長脚の移動を補助するためのガイドを含む、請求項１または２に記載の転倒防止装置。
【請求項４】
前記延長脚は、複数の突条を備え、前記複数の突条は、前記ガイドに形成されたスロット内を滑動して前記延長脚の突出および収容を補助する、請求項３に記載の転倒防止装置。
【請求項５】
前記延長脚は、前記シャーシからの突出後、前記係止部材、前記床面および前記湾曲部が共同して再度前記シャーシ内に収容および係止される、請求項１〜４のいずれか１項に記載の転倒防止装置。
【請求項６】
前記延長脚は、前記ストッパに適合するガイド溝を備え、前記ストッパは、前記シャーシから前記延長脚の前記ガイド溝に突出する突起または前記ガイド溝内で回動するガイドローラである、請求項１〜５のいずれか１項に記載の転倒防止装置。
【考案の詳細な説明】
【技術分野】
【０００１】
本考案は、本棚、タンスなど底面の幅よりも高さが高い家具の転倒防止装置に関する。
【背景技術】
【０００２】
家屋の内部には、本棚やタンスなど、底面の幅よりも高さが高く、書籍、衣類など重量のある物体を収容する家具が多数配置されている。我が国は、地震が多く、地震動に際して家具が転倒したり、傾いたりして居住者が被害を被る場合もある。また、本棚などの場合には、収容された書籍が落下し、居住者が被害を被る場合もある。
【０００３】
これまで家具の転倒を防止するための装置は種々提案されており、例えば、特開２０１０−０００３３２号公報（特許文献１）では、家具などを載置する載架台とその下に設ける固定台とを備え、載架台と固定台との間の易滑動手段を配設して、家具などを地震動に対応して前方に移動させることで、転倒を防止する前倒れ転倒防止手段とその補助具が開示されている。
【先行技術文献】
【特許文献】
【０００４】
【特許文献１】特開２０１０−０００３３２号公報
【考案の概要】
【考案が解決しようとする課題】
【０００５】
特許文献１に記載された前倒れ転倒防止手段でも家具などの転倒を防止することができるものの、家具の転倒を防止するために複雑な機構を必要とし、必ずしもコストパフォーマンスの点で普及性があるということはできなかった。
【０００６】
また、特許文献１に記載される以外にも家具の転倒防止のため、天井に支承させたり、壁に保持させたりする器具または装置も知られている。しかしながら、これらの装置は、天井の強度や壁の強度によっては不充分であり、また天井や壁の変形や穿孔を必要とするという不都合があった。このため、耐震コンクリート壁に接して家具を配置する場合や賃貸住宅などにおいては、転倒防止装置としては、天井を利用する他なく、転倒防止装置のバリエーションが限られてしまうという問題点があった。
【課題を解決するための手段】
【０００７】
本考案は、上記従来技術の問題点に鑑みてなされたものであり、本考案は、壁や天井に支承させることなく、家具を床面に支承させることにより家具の転倒防止を可能とする、転倒防止装置を提供することを目的とする。
【０００８】
すなわち、本考案によれば、家具の転倒防止装置であって、前記転倒防止装置は、
床面に対して傾斜したテーパを備え、地震動の発生により前記家具が床面から離れた場合に前記テーパにより前記床面による影響を受けずに家具の前方に突出する延長脚と、
前記延長脚を収容し、前記家具の両側面の前記床面に隣接する位置に固定され、かつ前記延長脚が飛び出さないように位置制御するストッパを備えるシャーシと、を備え、
前記延長脚は、前記家具の底面が前記床面に接している場合に前記シャーシに弾性的に取り付けられた係止部材が前記床面により前記延長脚に形成された湾曲部に圧入されて前記床面とともに前記延長脚を係止し、前記家具の底面が前記床面から離間した場合に、前記湾曲部から飛び出して前記延長脚を前記家具の前方に突出させる、転倒防止装置が提供される。
【０００９】
前記シャーシは、前記延長脚の前記湾曲部と係合する形状とすることができる。また、前記シャーシは、前記延長脚の上側面に隣接し、前記延長脚の移動を補助するためのガイドを含むことができる。さらに、前記延長脚は、複数の突条を備え、前記複数の突条は、前記ガイドに形成されたスロット内を滑動して前記延長脚の突出および収容を補助することができる。前記延長脚は、前記シャーシからの突出後、前記係止部材、前記床面および前記湾曲部が共同して再度前記シャーシ内に収容および係止することができる。前記延長脚は、前記ストッパに適合するガイド溝を備え、前記ストッパは、前記シャーシから前記延長脚の前記ガイド溝に突出する突起または前記ガイド溝内で回動するガイドローラとすることができる。
【図面の簡単な説明】
【００１０】
【図１】家具１０に対し、本考案の転倒防止装置２０を装着した実施形態を示す図。
【図２】本考案の転倒防止装置２０の詳細な構成を示す図。
【図３】本実施形態の転倒防止装置２０が地震動に応じて機能する機構を示す図。
【図４】本考案の第２の実施形態の転倒防止装置２０の詳細な構成を示す図。
【図５】本実施形態の転倒防止装置２０を、タンス４０といった家具１０に装着した実施形態を示す図。
【考案を実施するための形態】
【００１１】
以下、本考案を図面に示した実施形態をもって説明するが、本考案は、後述する実施形態に限定されるものではない。図１は、家具１０に対し、本考案の転倒防止装置２０を装着した実施形態を示す。図１に示す家具１０は、本棚とされていて、家具１０の両側面の床面３０に接する側に本考案の転倒防止装置２０が装着されている。家具１０は、壁面３１に接するように配置されていて、通常時には、床面３０に底面３２が面接触している。転倒防止装置２０は、家具１０が、地震動により図１の矢線Ａ方向に傾いた場合に起動され転倒防止装置２０内に収容されている延長脚２２が両側側面から突出し、家具１０の重心を後ろ側となるようにして転倒に対する抵抗性を付与している。
【００１２】
転倒防止装置２０は、家具１０に対して固定部材１１によって固定されている。固定部材１１は、転倒防止装置２０に一体的に形成されていて、図１に示した実施形態では、転倒防止装置２０の前後および上部の４箇所で家具１０に対して固定されている。他の実施形態では、転倒防止装置２０の下側にも固定部材１１を形成し、家具１０に転倒防止装置２０を固定してもよい。また、固定部材１１の形状は、転倒防止装置２０を家具１０に堅固に固定できる限り、特に限定はない。
【００１３】
延長脚２２には、上部に突条２２ｃが形成されていて、強度を高めているとともに、転倒防止装置２０のシャーシ内部の対応する位置に形成されたスロット２１ｂによりガイドされ、地震動の発生時においてもスムーズな突出動作が可能とされている。
【００１４】
図２は、本考案の転倒防止装置２０の詳細な構成を示す。図２（ａ）が通常時の転倒防止装置２０の状態を示し、図２（ｂ）が、地震動に応じて転倒防止装置２０が機能した状態を示す。転倒防止装置２０は、図１に示すように、家具１０の両側面に固定部材を使用して固定され、シャーシ２１と、延長脚２２と、延長脚２２を地震動の際に突出させるためのコイルバネ２３とを含んでいる。延長脚２２の上面は、シャーシ２１の上面に形成されたガイド２１ａに接するように収容されていて、がたつきを最小限としながら延長脚２２の図面前後方向へのスムーズな移動を可能とされている。シャーシ２１のガイド２１ａには、図１に示すように長さ方向に延びたスロット２１ｂを形成しておくことができ、当該スロット２１ｂは、延長脚２２の上側面の対応する位置に延長脚２２の長さ方向に形成された突条２２ｃと嵌合して、延長脚２２の上下左右への適切な遊びを超えたがたつきを抑制し、延長脚２２の直線的な突出および引き込めをサポートする。
【００１５】
シャーシ２１は、適切な強度を付与するため、アルミニウムなどの金属材料から形成することができ、適宜、家具１０に対して目立たないように塗装することができる。また、延長脚２２は、その強度を考えてアルミニウムなどの金属材料を使用することもできるし、潤滑性や靱性の観点から、高分子複合材料から形成することができる。
【００１６】
延長脚２２のスムーズな突出および収容を可能とする目的のため、延長脚２２の上面およびシャーシ２１のガイド２１ａには、さらにテフロン（登録商標）やポリエチレンなどの材料で被覆されていてもよい。シャーシ２１の下側内面には、ストッパ２４が形成されていて、ストッパ２４は、延長脚２２の後部に形成された湾曲部２５と係合して、延長脚２２がシャーシ２１から飛び出してしまわないように移動を制限する機能を提供している。
【００１７】
延長脚２２の下側面は、シャーシ２１の奥側に向かって延長脚２２の高さが漸増するような方向のテーパ２２ａが形成されている。このテーパ２２ａは、家具１０が地震動に際して前方に傾斜しても延長脚２２が床面３０に接触せず、延長脚２２がスムースに最大に延長された位置まで延長可能な遊びを提供する。テーパ２２ａの終端部近傍から、シャーシ２１に固定された適切な強度を有する板バネ２７がシャーシ２１に形成された矩形の開口から延長脚２２の湾曲部２５に向かって延びている。板バネ２７は、長期間にわたって押圧された状態とされるので、耐久性の高い材料から形成することが好ましい。一方、板バネ２７の先端には、曲面を有する係止部材２６が一体として形成されている。
【００１８】
係止部材２６の径は、小さければ小さいほど、地震動の揺れに対して高感度に反応するが、誤作動の可能性も高くなるので、家具１０が転倒しない範囲内の径で、かつ湾曲部２５の径程度の大きさとすることが好ましく、より具体的には、数ｍｍからパチンコ用の鋼球程度（約１０ｍｍ程度）の径とすることが適切な動作を保証する転で好ましい。係止部材２６の径に対応して、テーパ２２ａの角度も適宜設定することができる。
【００１９】
係止部材２６の曲面は、係止部材２６の形状により与えられ、係止部材２６は、球または円筒として構成することができ、円筒に構成する場合、係止部材２６は、転動可能に湾曲部２５に接触していてもよい。係止部材２６は、通常時には、床面からの家具１０や書籍などの自重により板バネ２７が、延長脚２２の湾曲部２５に圧入されて当接し、延長脚２２が、床面３０と家具１０の底面３２とが面接触している間には、湾曲部２５からに突出してしまわないように保持させている。
【００２０】
また、延長脚２２には、ストッパ２４の上端部のレベルとされ、湾曲部２５に滑らかに連続するガイド溝２２ｂが形成されている。ガイド溝２２ｂは、ストッパ２４と湾曲部２５とが、係止位置で曲面同士で接しながら延長脚２２をシャーシ２１内から飛び出さないように位置を制限している。
【００２１】
図２（ｂ）に示す転倒防止装置２０が機能した後の状態では、延長脚２２は、シャーシ２１の外部へと一部が突出し、ストッパ２４と湾曲部２５とが係合して停止されている。延長脚２２の内部には、突き出し手段が配置されていて、突き出し手段は、ガイド棒２８と、シース２９と、コイルバネ２３とを含んでいる。突き出し手段のコイルバネ２３は、ガイド棒２８の外部に適切な余裕を持って配置され、さらにその外側に、また適切な余裕をもってシース２９が配置されている。シース２９は、コイルバネ２３の反発力により、ガイド棒２８に沿って矢線Ｂ側に移動し、コイルバネ２３が延長し延長脚２２をシース２９ごとシャーシ２１から突出させている。
【００２２】
図２（ｂ）に示した状態は、地震動が終了し、家具１０が、床面に接触した状態なので、係止部材２６は、シャーシ２１内に床面および家具１０の自重により、引き込まれた状態となっている。図２（ｂ）に示した状態では、家具１０の底面は、見かけ上では、延長脚２２の分だけ広げられ、その結果、家具１０が転倒するまでに家具１０の重心が移動しなければならない距離を増加させることができるので、転倒防止機能を提供することが可能となる。
【００２３】
図３は、本実施形態の転倒防止装置２０が地震動に応じて機能する機構を示した図である。図３（ａ）が延長脚２２の突出前の状態であり、図３（ｂ）が、延長脚２２が停止位置となるまで突出した後の状態である。図３（ａ）に示すように、係止部材２６は、家具１０が床面３０から浮き上がり、家具１０の背面側の底面３２が離間し、家具１０の自重がなくなったことに対応して、板バネ２７がシャーシ２１の外部に係止部材２６を排出しようとする力に加え、突き出し部材による押し出し力の影響で、スムーズにシャーシ２１外へと、湾曲部２５に沿って滑動または係止部材２６の転動により湾曲部２５の外部およびシャーシ２１の外部まで飛び出して、その係止機能を喪失する。この結果、延長脚２２は、ストッパ２４に湾曲部２５が係合する位置にまで矢線Ｂで示すように突出して停止する。
【００２４】
この際、図３（ｂ）に示すようにテーパ２２ａは、床面３０に対して延長脚２２の突出を妨げないように傾斜した状態で延長脚２２の先端を床面３０から逃がす機能を提供し、家具１０の傾斜に影響を受けずに延長脚２２が家具の前方に突出することが可能となる。この結果、延長脚２２の先端の下側稜線が転倒の際のピボット点を提供し、また、ガイド２１ａと、突条２２ｃとの機能により、延長脚２２の押し戻しが最小化され、延長脚２２が内部に押し戻されて機能しないという不都合が防止できる。さらに、突条２２ｃは、延長脚２２に加えられる紙面上下方向の荷重に対する延長脚２２の強度を向上させる機能も有する。
【００２５】
図３（ｂ）となった状態でユーザが再度転倒防止装置２０を図２（ａ）で示す初期状態に戻す場合、ユーザは延長脚２２が突出した状態のまま、家具１０を、床面３０に正置する。そうすると、図２（ｂ）の状態となる。この状態で、ユーザが延長脚２２をシャーシ２１内に押し込むと、延長脚２２は、ガイド２１ａ、突条２２ｃ、ガイド溝２２ｂに沿ってシャーシ内を移動し、係止部材２６が、延長脚２２の奥側端面に当接した段階で延長脚２２は、一旦停止する。この状況でユーザが家具１０を僅かに傾けながら（紙面左右方向でも、紙面上下方向でもかまわない。）さらに延長脚２２を押し込むことで係止部材２６が湾曲部２５に収容され、床面３０との間で係止機能を発生する位置に復元できる。この後、家具１０を床面３０に接しさせることで、係止部材２６が安定に収容され、湾曲部２５と共同して延長脚２２を係止する。
【００２６】
床面３０が、柔軟性のあるフローリングや絨毯などの場合には、適宜、木製板、金属製板などの剛性材料を、家具の下側に配置することで、係止機能を提供することができる。さらに、シャーシ２１の床面３０に接触する側にシャーシ２１を収容し、シャーシ２１との間で回転可能な受け部材をシャーシ２１の前方（壁面３１と離れた側）にピボット可能に取り付け、当該受け部材とシャーシ２１とが家具１０が前方との傾斜することにより、シャーシ２１と受け部材とがにより離間することによって係止部材２６が受け部材側に飛び出す構成とすることができる。当該構成では、床面３０の構成、すなわち畳、カーペット、フローリングなどの相違に関わりなく、家具１０の傾斜本実施形態の転倒防止装置２０には、予期しない延長脚の突出を防止する目的で、転倒防止装置２０の延長脚２２の突出する側にキャップなどを装着しておくことができる。
【００２７】
図４は、本考案の転倒防止装置２０の第２の実施形態を示す。第２の実施形態では、ストッパ２４ａは、シャーシ２１に回動自在に取り付けられたローラとして構成されている。ストッパ２４ａは、湾曲部２５と係合し、延長脚２２の突出を制限する他、延長脚２２の突出をスムースにガイドするガイドローラとして構成されている。延長脚２２は、ストッパ２４ａの径よりも大きな遊びをシャーシ２１との関係で有していないので、延長脚２２は、ストッパ２４ａを乗り越えてシャーシ２１外に飛び出すことはない。また、延長脚２２の内側の下部コーナは、面取りされていて、延長脚２２を通常位置に戻す際に、係止部材２６を損傷しないようにされている。なお、シャーシ２１の奥側におけるシャーシ２１と係止部材２６との間には、係止部材２６の径よりも小さな遊びを設けることもでき、延長脚２２の通常位置への修復の際に延長脚２２が僅かに持ち上がることで、よりスムースな通常位置への復帰が可能とされていてもよい。
【００２８】
図５は、本実施形態の転倒防止装置２０を、家具１０としてタンス４０を使用した場合の実施形態である。図４に示した実施形態でも、延長脚２２の延長により、地震動に際して転倒に至るまでのタンス４０の重心移動距離が増加できるので転倒防止機能を提供することができる。
【００２９】
本実施形態ついて、図面に示した実施形態もって詳細に説明してきたが、本考案は、本棚やタンスなどの家具に限定されるものではなく、高さに比較して厚さ（幅）が小さな底面を有する家具であって、適切な重量がある限り、同様に適用することができる。
【符号の説明】
【００３０】
１０    家具
１１    固定部材
２０    転倒防止装置
２１    シャーシ
２１ａ  ガイド
２１ｂ  スロット
２２    延長脚
２２ａ  テーパ
２２ｂ  ガイド溝
２２ｃ  突条
２３    コイルバネ
２４、２４ａ    ストッパ
２５    湾曲部
２６    係止部材
２７    板バネ
２８    ガイド棒
２９    シース
３０    床面
３１    壁面
３２    底面
４０    タンス
【図１】
0003159577.tif 000003
【図２】
0003159577.tif 000004
【図３】
0003159577.tif 000005
【図４】
0003159577.tif 000006
【図５】
0003159577.tif 000007